(57)【特許請求の範囲】
【請求項１】
室内側の床材が基礎天端より高レベルに配された建物において、基礎幅全長にわたって切り欠くことなく、基礎天端の室外側のみを外側面から見て箱状に切り欠くことによって、基礎天端に換気用切欠き部を設け、この換気用切欠き部の室内側先端を、基礎上に設置される壁体やサッシ枠等の上部構築材の下方を通って床下空間に連通する位置まで形成することで、室外側から換気用切り欠き部を経て床下空間に至る換気路を形成したことを特徴とする建物の床下換気構造。
【請求項２】
前記換気用切欠き部の底面を、室外側から見て登り階段状に形成して、室外側から、水やゴミなどが室内側床下空間へ侵入することを防ぐようにしたことを特徴とする請求項１に記載した建物の床下換気構造。
【請求項３】
前記換気用切欠き部において、その切欠き部の室外側の前面開口部のほぼ全体を覆う換気ガラリを設けることにより、前記換気用切欠き部内への虫やゴミなどの侵入を防ぐようにしたことを特徴とする請求項１又は２に記載した建物の床下換気構造。
【請求項４】
階段状に形成された換気用切欠き部において、１段目の立ち上がり部の垂直面に、前記換気ガラリを当接し固定したことを特徴とする請求項３に記載した建物の床下換気構造。
【請求項５】
前記換気ガラリの開口部に防虫のための網状部を設けたことを特徴とする請求項３又は４のいずれかに記載した建物の床下換気構造。
【発明の詳細な説明】
【０００１】
【発明の属する技術分野】
本発明は、建物の室内側の床下空間の換気構造に関するものであって、主として集合住宅や戸建て住宅の１階部分に用いられる。
【０００２】
【従来の技術】
従来、建物の床下空間の換気は、図１２に示すように、グランド面(50)から上方に突出した基礎(51)の立ち上がり部に貫通孔を設け、通気用パイプ(52)を横に並べて複数埋め込み、このパイプ(52)を通じて室内側床下空間(53)の空気を外気と換気させるといった方法で行われていた。
【０００３】
例えば、この施工例では、室外側(55)のグランド面(50)から基礎天端(56)までの基礎立ち上がり寸法ｅは４３ｃｍである。室内側(54)では、土間コンクリートの厚み８ｃｍを差し引いた土間コンクリート表面(57)から基礎天端(56)迄の基礎立ち上がり寸法ｆは３５ｃmある。従って、室内側、室外側とも、通気パイプ(52)ないし通気孔が基礎(51)を水平に貫通できる充分な基礎立ち上がり寸法があった。
【０００４】
【発明が解決しようとする課題】
しかしながら、こうした方法は、図１のように、室外側床の土間面(６)がグランド面(５)から高い位置に突出して設けられ、その結果、土間面(６)から基礎天端(４)への立ち上がり寸法ｂが少ない場合は採用できない。
【０００５】
この施工例において、室内側(２)の土間コンクリート上面(12)から基礎天端(４)への立ち上がり寸法ｃは、１２図の基礎立ち上がり寸法ｆと同じである。一方、室外側(３)の土間面(６)はグランド面(５)から突出した高い位置に設けられている。室外側の土間面(６)のグランド面(５)からの突出高さａは、３１．５ｃｍとされ、土間面(６)から基礎天端(４)からまでの基礎立ち上がり寸法ｂは１１．５ｃｍしかない。そのため、こうした施工方法に採用される例えば直径１２．５ｃｍ通気孔を基礎(１)に貫通させることはできなかった。住宅の１階廊下部や１階バルコニーにおいては、使い勝手などの理由で床面からの基礎立ち上がり寸法が小さいことが多く、従来、こうした箇所には換気孔を設けないのが普通であった。
【０００６】
しかしながら、近時、創設された品確法性能表示において、例えば「耐久性：劣化対策等級２」を満たす高品質の住宅を提供するためには、基礎長４ｍに対して、３００ｃｍ２以上の換気面積が要求される。こうした必要換気量を満たすためには、１階廊下部など基礎立ち上がり寸法が小さい場所であっても、換気口の設置が必要となる。
【０００７】
また、基礎を貫通した換気孔や基礎幅全長を切り欠いた換気口にあっては、室外側からの雨水やほこりなどが室内側の床下空間(13)に入り込む懸念があった。その結果、湿気を帯びたり不衛生となるばかりでなく、住宅の耐久性に悪い影響を与える虞れもあった。
【０００８】
そこで、この発明では、基礎立ち上がり寸法が少ない等の制約がある場所でも設置可能であって、換気が充分に行なえ、しかも、換気口から雨水等が室内床下空間へ侵入することのない床下換気構造を提供することを目的としている。
【０００９】
【課題を解決するための手段】
上記課題を解決するために、請求項１の発明では、室内側の床材(８)が基礎天端(４)より高レベルに配された建物において、基礎幅全長にわたって切り欠くことなく、基礎天端(４)の室外側(３)のみを外側面から見て箱状に切り欠くことによって、基礎天端(４)に換気用切欠き部(19)を設け、この換気用切欠き部(19)の室内側先端(20)を、基礎(１)上に設置される壁体(21)やサッシ枠(33)等の上部構築材の下方を通って床下空間(13)に連通する位置まで形成することで、室外側(３)から換気用切り欠き部(19)を経て床下空間(13)に至る換気路(22)を形成した。
【００１０】
請求項２の発明では、前記換気用切り欠き部(19)の底面を、室外側から見て登り階段状に形成して、室外側(３)から、水やゴミなどが室内側床下空間(13)へ侵入することを防ぐようにした。
【００１１】
更に、請求項３では、前記換気用切り欠き部(19)において、その切り欠き部の室外側の前面開口部(25)のほぼ全体を覆う換気ガラリ(28)を設けることにより、前記換気用切り欠き部(19)内への虫やゴミなどの侵入を防ぐようにした。
【００１２】
請求項４の発明では、階段状に形成された前記換気用切り欠き部(19)において、１段目の立ち上がり部(26)の垂直面に、前記換気ガラリ(28)を当接し固定した。請求項５の発明では、換気ガラリ(28)の開口部に防虫のための網状部(30)を設けている。
【００１３】
【発明の実施の形態】
以下、この発明の実施形態を図面に基づいて詳細に説明する。図１〜図３は、この発明を建物１階のバルコニーに面した基礎部分に用いた１実施形態を示している。
【００１４】
(１)は基礎であって、コンクリートを打設して断面逆Ｔ字形に形成される。基礎(１)を挟んで右側は室内側(２)を、左側は室外側(３)を示す。ここで、室内側(２)とは居住スペース側を指し、室外側(３)とは、居住スペース外、例えば室外に設けられたバルコニーや、集合住宅における共有部分の廊下などを指す。
【００１５】
基礎天端(４)のグランド面(５)からの突出高さは４３ｃｍとされている。(６)は室外側に設けられたバルコニーの床面を構成している土間面である。この土間面(６)のグランド面(５)からの突出高さａは３１．５ｃｍとされており、土間面(６)から基礎天端(４)までの基礎立ち上がり寸法ｂは１１．５ｃｍとなる。
【００１６】
(８)は室内側の床材であって、床板(９)とその下に配される断熱材(10)からなる。室内側(２)のグランド面(５)には、８ｃｍの厚みの土間コンクリート(11)が打設されている。従って、土間コンクリート上面(12)から基礎天端(４)までの基礎立ち上がり寸法ｃは３５ｃｍとなる。
【００１７】
(13)は室内側の床下空間である。(14)は、基礎天端(４)上に設置された端根太である。(15)(15)…は大引き上に載置された根太である。
【００１８】
端根太(14)と基礎天端(４)の間には、高さ２ｃｍの木片からなるスペーサ(17)が、端根太(14)の連続方向に、適宜間隔をおいて介在されている。このスペーサ(17)により、端根太(14)は基礎天端(４)上に２ｃｍの空間をあけた状態で保持され、端根太(14)の下部空間において通気が可能となる。図では、スペーサ(17)の介在による端根太(14)の基礎天端(４)からの突出高さをｇとして示している。
【００１９】
室内側の床材(８)は、基礎天端(４)上に設置された端根太(14)上に、その端部が載置され、床材(８)は基礎天端(４)より高レベルに保持されている。
【００２０】
室外側に位置する基礎天端(４)の上辺(18)は、外側から見て箱状に切り欠かれて換気用切り欠き部(19)とされている。図３に示すように、この換気用切り欠き部(19)は正面から見て横長に形成される。即ち、基礎天端(４)の室外側の上辺(18)を一辺とし、かつ、基礎(１)の連続方向に沿って横長の概略箱状に切り欠かれて形成されている。
【００２１】
(21)は、基礎(１)上に設置される上部構造材としての壁体である。この壁体(21)は、外壁材(60)と内壁材(61)と、前記両壁材(60)(61)の間に介装される断熱材(63)からなる。内壁材(61)と断熱材(63)の下端は同レベルとされている。(27)は、要所要所に設けられて外壁材(60)を基礎上に支持する外壁ファスナーであって、外壁材(60)の一部を構成している。図２に示すように、基礎天端(４)上において、外壁ファスナー(27)と端根太(14)の間に壁体(21)の下部空間(16)が形成される。換気用切り欠き部の室内側先端(20)は、室外から見て、外壁ファスナー(27)の向こう側に位置しており、壁体(21)の下部空間(16)に達している。一方、内壁材(61)の下端は、床板(９)を挟んで端根太(14)上に載置されるので、壁体(21)の下部空間(16)は、端根太(14)の下部空間に連なる。この端根太(14)の下部空間は、床材(８)と基礎天端(４)間に形成される空間を経由して室内側床下空間(13)に連通する。
【００２２】
こうして、換気用切り欠き部(19)を経て、壁体(21)の下部空間(16)に至り、基礎天端(４)上と端根太(14)下の間に、スペーサ(17)(17)…の介在により作られた空間を通って室内側の床下空間(13)へ至る換気路(22)が形成される。室外側(３)の空気はこの換気路(22)を通って室内側床下空間(13)に至り、室内側床下空間(13)の空気は、逆のルートで、室外側(３)に至り換気される。
【００２３】
基礎(１)上に設置された壁体等の上部構造材の下に空間がない場合であっても、換気用切り欠き部の先端(20)を、前記スペーサ(17)(17)によって立ち上げられた端根太(14)下の通気空間に達する位置まで形成すれば、室外側から室内側床下への換気路が形成され、通気可能である。
【００２４】
このように、基礎上における外壁ファスナー(27)の納まりの関係上、或いは、基礎上に端根太(14)等の構造材を載置する必要から、基礎幅を全て切り欠くことはできない場所でも、切り欠き可能な限定された範囲内で、箱状の換気用切り欠き部(19)を設けられる。
【００２５】
また、基礎幅全長にわたって切り欠きを設ければ、室内側床下空間(13)へ雨水が侵入する虞れがあるが、換気用切り欠き部(２)は、箱状であって基礎幅を部分的に切り欠いた形状であるから、雨水やほこりなどの床下空間(13)への侵入を防ぐことができる。
【００２６】
この実施形態では、換気用切り欠き部(19)は、図３の正面から見て、左右方向に幅６８ｃｍ、奥行き１３ｃｍとされている。即ち、基礎幅４４ｃｍに対し、切り欠き部先端(20)は、室外側から基礎天端(４)を幅方向に１３ｃｍ切り欠いた箇所に位置する。
【００２７】
換気用切り欠き部(19)の底面(23)は、室外側から見て、２段階に上方へ登っていく階段状に形成されている。このように、換気用切り欠き部の底面(23)が階段状に室内側へ向かって高くなっていることにより、室外側から入り込んだ雨水やほこり、ゴミ等の異物が、室内側の床下空間(13)に入りこむことを防いでいる。また、底面(23)の段板部(24)(24)は、図９に示すように、室内側へ向かって登り勾配で傾斜しており、水等の侵入の可能性を防いでいる。
【００２８】
この換気用切り欠き部(19)の室外側前面開口部(25)には、開口部全体を塞ぐようにして換気ガラリ(28)が設けられている。換気ガラリ(28)は、図１０に示すように、横長の概略長方形状の板材であって、ステンレス材などを素材としている。そして、縦長の換気孔(29)(29)…がパンチングにより複数形成され、裏面には、目詰まりしない程度の防虫網(30)が取り付けられている。
【００２９】
換気ガラリ(28)を設けたことにより、換気用切り欠き部(19)の室外側から、ゴミや虫、ネズミなどの異物の侵入を防ぐことができる。また、換気ガラリに設けた防虫網(30)は、居住者にとって大変不快な昆虫等が、室内床下空間(13)へ侵入することを防ぐ。
【００３０】
防虫網(30)が経年により劣化したり脱落した場合は、換気用切り欠き部(19)の前面開口部(25)から、換気ガラリ(28)の表側に防虫網(30)を取り付けることができ、防虫網のメンテナンスが可能である。
【００３１】
（31）は、外壁材(21)を伝ってきた水を切るための水切りである。(32)は、外壁材(21)の下端を塞ぐシール材である。
【００３２】
集合住宅などで、各居住スペースの外側に外壁を挟んで設置された廊下の床面が、グランド面より高レベルに配置されている場合においても、第１実施形態と全く同様の構造で、室内側床下空間の換気ができる。
【００３３】
図４、図５では、この発明を、建物１階のサッシ枠下の基礎に用いる第２の実施形態を示す。基礎上に上部構造体としてのサッシ枠(33)を設置する場合、サッシ枠(33)の厚みは壁体(21)より薄いので、これを支持する端根太(14)などの設置位置がどうしても室外側(３)に寄ることとなる。それゆえ、基礎幅を第１実施形態の場合ほど大きく切り欠くことはできない。
【００３４】
この換気用切り欠き部(34)において、切り欠き部室内側先端(35)の位置は、室外側から基礎幅方向に１０ｃｍとされており、第１実施形態のものより奥行が浅い。この換気用切り欠き部の底面(36)は、段数が少ない以外は、第１実施形態と同様に構成されている。
【００３５】
基礎天端(４)上には、サッシ枠(33)の室内側下端を載置する端根太(14)と、これと僅かな間隔をおいて平行に、もう１つの端根太(14)が設置されている。各端根太(14)(14)と基礎天端(４)間には、第１実施形態と同様、スペーサ(17)(17)…が介在され、これにより、端根太(14)(14)は、基礎上に突出高さｇを保持して立ち上がり、通気空間を形成する。
【００３６】
この実施形態においても、第１の実施形態と同様、外気は換気用切り欠き部(34)を通り、サッシ枠(33)の下部空間(16)に出て、端根太(14)(14)下部の通気空間を通り、基礎上を室内側の床下空間(13)へ至る換気路(22)が形成される。床下空間(13)の空気は、この換気路(22)を逆のルートで室外へ出る。(47)は基礎上にサッシ枠を支持する支持部材で要所要所に設けられる。室外側の土間面(６)のグランド面(５)からの突出高さａや基礎立ち上がり寸法ｂ、ｃ等高さレベルの位置関係は、第１実施形態によるものと全く同じである。
【００３７】
次いで、第１実施形態による床下換気構造の施工の様子を順を追って説明する。図６は、基礎(１)上に、換気用切り欠き部(19)を形成するための型枠となる大、小２種の床下換気口枠(37)(38)を示している。大きなサイズの換気用口枠(37)は、正面側が開口された箱状に形成され、底面には段が一段設けられている。そして、上方には正面前方へ突出した一対への係合片(39)(39)が設けられている。他方、小さなサイズの換気用口枠(38)は、正面を開口した浅い箱状の口枠であって、その上方には、正面に向かって突出した一対の係止板(40)(40)が設けられている。
【００３８】
外壁材の下等に用いる奥行きの深い換気用切り欠き部(19)を形成する場合、大小の換気用口枠(37)(38)を組み合わせる。大きなサイズの換気用口枠(37)の裏面側に、小さなサイズの換気用口枠(38)の開口部を当接させるとともに、その上方の係止板(40)(40)を、大型の換気用口枠の上面(41)に載置し、大型の換気用口枠(37)の上方に予め開孔された孔(42)(42)にピンをさして固定することにより、大小２種の換気用口枠(37)(38)を一体に結合する。
【００３９】
そして、こうしてできた外壁下用換気用口枠(43)を、図７に示すように基礎の型枠(44)に埋め込み、係止板(39)(39)を型枠(44)上にピンをさして固定しておく。その後、コンクリートを流し込めば、換気用切り欠き部(19)が箱抜きされて形成される。
【００４０】
第２実施形態、即ちサッシ枠下等に用いられる奥行きの浅い換気用切り欠き部(34)は、大きなサイズの換気用口枠(37)のみを用いて、同様の方法で形成される。
【００４１】
図８は、第１実施形態による換気構造の施工手順を示している。(ａ)では、大小の換気用口枠(37)(38)で形成された換気用切り欠き部(19)が図示されている。この換気用切り欠き部(19)に換気ガラリ(28)を設置する際、図９で示すように、換気ガラリ(28)の裏面を、換気用切り欠き部の１段目の立ち上り部(26)にしっかりと当接させて位置決めすればよく、施工が簡単である。
【００４２】
また、この１段目立ち上り部(26)は、換気用切り欠き部前面開口部(25)から約４ｃｍ奥に入った位置に設けられる。換気ガラリ(28)が、この程度奥に引っ込んでいれば、雨水などがかかりにくく、換気ガラリ(28)に錆が発生するのを抑えられる。
【００４３】
換気ガラリ(28)の左右両端部は、やや鈍角に折曲されて側方係止片(45)(45)とされている。この係止片(45)(45)は、換気用切り欠き部(19)の左右両側壁に押し付けられて抜け留めの役割を果たし、換気ガラリ(28)は左右両側で固定される。
【００４４】
換気ガラリ(28)の上部には、前方に直角に折曲され、左右方向にそれぞれ延長された上部係止片(46)が形成されている。この上部係止片(46)の左右端部を基礎天端(４)上に係止し、ビス留めすることにより、上部側から固定される（ｂ）。換気ガラリ(28)の下部は切りっぱなしとされているが、上方と両側方によりしっかり固定されているので、下部側における固定手段は不要であり、簡易で強固な固定が可能となる。
【００４５】
こうして、換気ガラリ(28)を換気用切り欠き部(19)に固定した上で、室外側の土間(７)を形成するコンクリートが流し込まれる。この際、コンクリートは、換気用切り欠き部(19)の底部から１段目立ち上り部(26)の半ばより上程度まで流し込まれ、換気ガラリ(28)の下端は、室外側土間コンクリートに埋まる（ｃ）。(48)は、このようにして、室外側土間(７)の打設時にコンクリートが流し込まれたコンクリート埋設部である。
【００４６】
換気ガラリ(28)の左右の係止片(45)(45)は、モルタルで巻き込まれる。換気ガラリ(28)の下端をコンクリートに埋設させず、側面でのモルタル巻き込みもしないで、換気ガラリ(28)を取り外し可能に設置してもよい。この場合、防虫網(30)のメンテナンスはよりたやすくなる。
【００４７】
この発明は、上記実施形態に限定されるものではなく、この発明の範囲内で上記実施形態に多くの修正及び変更を加え得ることは勿論である。
【００４８】
【発明の効果】
このように、この発明においては、基礎天端(４)の室外側(３)にのみ、箱状に切り欠いた換気用切り欠き部(19)を設け、この換気用切り欠き部(19)の室内側先端(20)を、基礎(１)上に設置される壁体(21)やサッシ枠(33)等の上部構築材の下方を通って床下空間(13)に連通する位置まで形成することで、室外側から換気用切り欠き部(19)を経て床下空間に至る換気路(22)を形成している。
【００４９】
その結果、室外側床の土間面(６)が地上面から高レベルにある等の理由により、土間面(６)から基礎天端(４)までの基礎立ち上がり寸法が不足して、基礎を貫通する換気孔を設けることができない、といった高さレベルの制約のある場所でも、換気可能な床下換気構造が提供できる。
【００５０】
また、基礎幅全長を切り欠かないので、基礎上に設置する上部構造物の納まりや設置位置に対応して、基礎幅に対する切り欠きの奥行きを調整できる。このように高さや奥行きなどの制限の範囲内で、切り欠き可能な部分を切り欠くことにより、床下の換気が実現できる。このため、従来では換気口が設けられなかった場所でも、換気が可能となり、高品質住宅に要求される換気面積が確保できる。
【００５１】
更に、この発明による換気構造は、基礎(１)を貫通させたり、基礎全長を切り欠いた換気口によるものではなく、基礎天端(４)の室外側(３)のみを箱状に切り欠いた換気用切り欠き部(19)を用いることから、室内側床下空間(13)へ雨水やゴミが侵入しにくい構造となっている。
【００５２】
請求項２の発明においては、換気用切り欠き部の底部(23)を、室外側から見て登り階段状に形成していることから、また、請求項３においては、換気ガラリ(28)を換気用切り欠き部(19)の前面に設けたことから、それぞれ、水や虫・ゴミなどの異物が室内側床下空間(13)に侵入することを防いでいる。
【００５３】
請求項４の発明においては、換気用切り欠き部(19)の１段目立ち上がり部(26)に換気ガラリ(28)を当接して設置することから、施工時の位置決め作業が楽に行える。
【００５４】
請求項５の発明においては、換気ガラリ(28)に防虫網(30)を設けたことで、不快な昆虫などの室内側床下空間への侵入を防ぐことができる。また、換気用切り欠き部(19)の開口部側から経年変化により劣化した防虫網(30)を取り付けることが可能で、防虫網(30)のメンテナンスが可能となった。
【図面の簡単な説明】
【図１】  この発明の第１実施形態にかかる床下換気構造を示す縦断面図である。
【図２】同じく、要部縦断面図である。
【図３】同じく、正面図である。
【図４】この発明の第２実施形態にかかる床下換気構造を示す縦断面図である。
【図５】同じく、正面図である。
【図６】換気用切り欠き部を形成するための換気用口枠を示す斜視図である。
【図７】換気用口枠による換気用切り欠き部の形成方法を示す斜視図である。
【図８】この発明の第１実施形態による換気構造の施工手順を示す斜視図である。
【図９】この発明の第１実施形態による換気用切り欠き部を示す要部縦断面図である。
【図１０】換気ガラリを示す斜視図である。
【図１１】第２実施形態による換気用切り欠き部を示す斜視図である。
【図１２】従来の換気構造を示す縦断面図である。
【符号の説明】
(１)  基礎
(４)  基礎天端
(８)  床材
(13)  床下空間
(19)  (34)  換気用切り欠き部
(20)  (35)  切り欠き部室内側先端
(21)  壁体
(22)  換気路
(26)  １段目立上り部
(28)  換気ガラリ
(30)  網状部（防虫網）
(33)  サッシ枠
【図１】
0003891332.tif 000002
【図２】
0003891332.tif 000003
【図３】
0003891332.tif 000004
【図４】
0003891332.tif 000005
【図５】
0003891332.tif 000006
【図６】
0003891332.tif 000007
【図７】
0003891332.tif 000008
【図８】
0003891332.tif 000009
【図９】
0003891332.tif 000010
【図１０】
0003891332.tif 000011
【図１１】
0003891332.tif 000012
【図１２】
0003891332.tif 000013